(57)【要約】      （修正有）【課題】改修ドレン等に好適で、これに容易かつ確実に固定できる固定用治具付きストレーナを提供する。【解決手段】固定用治具付きストレーナの固定用治具は、ドレン内の長手方向に対向するように配置される第１接続部３４および第２接続部３５と、第１接続部３４に一端を回動自在に接続され、ドレンの周方向に所定間隔で配置されている棒状の複数の第１リンク３２ａと、第２接続部３５に一端を回動自在に接続され、第１リンク３２ａに対応して配置されている棒状の複数の第２リンク３２ｂと、第１リンク３２ａおよび第２リンク３２ｂの他端を接続し、ドレンの内面を押圧する複数の押圧密着部３３ａ，３３ｂと、ストレーナキャップ３１および第１接続部３４を貫通し、第２接続部３５に設けられたネジ部と螺合するネジ部を具える位置調整棒３６と、ストレーナキャップ３１の上部に位置調整棒３６を位置止めするストッパー３７と、を有する。【選択図】図４
0003153536.tif 000002
【実用新案登録請求の範囲】
【請求項１】
ストレーナキャップと、前記ストレーナキャップに取り付けられドレン内に固定するためのストレーナ固定用治具と、を具える固定用治具付きストレーナであって、
前記ストレーナ固定用治具は、
ドレン内の長手方向に対向するように配置される第１接続部および第２接続部と、
前記第１接続部に一端を回動自在に接続され、ドレンの周方向に所定間隔で配置されている棒状の複数の第１リンクと、
前記第２接続部に一端を回動自在に接続され、前記第１リンクに対応して配置されている棒状の複数の第２リンクと、
前記複数の第１リンクおよび前記複数の第２リンクの他端のそれぞれを接続し、ドレンの内面を押圧する複数の押圧密着部と、
前記ストレーナキャップおよび前記第１接続部を貫通し、前記第２接続部に設けられたネジ部と螺合するネジ部を具える位置調整棒と、
前記ストレーナキャップの上部に前記位置調整棒を位置止めするストッパーと、
を有することを特徴とする固定用治具付きストレーナ。
【請求項２】
前記第１リンクが、ドレンの周方向において２等分、３等分、４等分のいずれかの所定間隔で配置されていることを特徴とする請求項１に記載の固定用治具付きストレーナ。
【請求項３】
前記ストッパーは、前記位置調整棒に設けたネジ部と係合するスピードナット型のストッパー、前記位置調整棒に設けたネジ部と螺合するナット型のストッパー、前記位置調整棒に設けた凹部と係合するクリップ状のストッパー、前記位置調整棒に設けた貫通孔に差し込まれるピン状のストッパーのいずれかであることを特徴とする請求項１または２に記載のストレーナ固定用治具。
【請求項４】
前記押圧密着部は、少なくともドレンに接触する表面部が使用環境下でエントロピー弾性を有する材料からなることを特徴とする請求項１〜３のいずれかに記載のストレーナ固定用治具。
【考案の詳細な説明】
【技術分野】
【０００１】
本考案は、ドレン等に適用され、これに確実に固定するための新規な構造を具えた固定用治具付きストレーナに関するものである。
【背景技術】
【０００２】
一般に、建築物の陸屋根やビルの屋上に設けられている排水溝の上端には、雨水を排水するためのドレンが設置されている。例えば、図１にドレン１０の断面図を示すように、このドレン１０の上部には、雨水とともにごみや落ち葉等がドレン１０内に流れ込まないようにするためにストレーナ２０が設置されている。このストレーナ２０とドレン１０の周部とは、ルーフドレンの日本鋳鉄ふた・排水器具工業会規格ＪＣＷ３０１に規定されているように、ネジ２１で固定されている。
建物は老朽化するので、定期的なメンテナンスが必要であり、これに伴って、ドレンも改修される。既存のドレンの改修工事は、既存のドレン内に改修用ドレンを挿入することによって行われることが多い。具体的には、図２に改修ドレンの断面図を示すように、既存のドレン１０の上部にコンクリート等１１を配置して、改修ドレン１２を既存のドレン１０内に挿入配置する。前述のように、当初、ストレーナ２０は既存のドレン１０の周部に設けてあったネジ２１でしっかりと固定されていたが、当該部分はコンクリート等１１によって完全に覆われてしまう。それゆえ、ストレーナ２０を改修ドレン１２に一体化して固定するためには、改修ドレン１２の周部に新たに固定手段を設ける必要がある。この固定手段を設ける工事は工事業者に対して、作業負担を強いるとともに、ビルのオーナーに対しては費用負担を強いるものとなってしまう。
【０００３】
そのため、ストレーナをドレン内に固定する一例として、例えば特許文献１には、図３に示すようなストレーナが開示されている。図３（ａ）はドレン内に固定前のストレーナを示し、図３（ｂ）はストレーナをドレン内に固定する様子を示す。このストレーナ２０は対向する２対の金属製足２２を有している。図３（ｂ）に示すように、作業員はこの金属製足２２を手に持って、図３（ａ）の状態から金属製足２２を略９０度撓ませて、ドレン１０内に挿入する。ドレン１０内では、金属製足２２は弾性力により広がってドレン１０の内側表面に当接され、ストレーナ２０はドレン１０内に固定されることとなる。
【０００４】
また、特許文献２には、金属製足２２の先端部２２Ｅに、例えば樹脂からなる滑り防止部材を設け、この滑り防止部材のドレン１０内表面に対する摩擦力によって、ストレーナ２０をドレン１０内に確実に固定するストレーナが開示されている。
【先行技術文献】
【特許文献】
【０００５】
【特許文献１】特開平９−１６５８８５号公報
【特許文献２】特開２００９−９７１６８号公報
【考案の概要】
【考案が解決しようとする課題】
【０００６】
上述した従来のストレーナ２０は、金属製足２２の弾性力（および滑り防止部材の摩擦力）にのみ依存してドレン１０内に固定されている。それゆえ、このストレーナ２０は戸建のベランダ等に設置された、比較的小さく簡易なドレンに用いる場合には有用であるが、陸屋根やビルの屋上に設置されたドレンに用いると、何らかの外力、例えば地震や暴風雨などの作用を受けた場合に、ドレンから外れ易いという課題を有する。なぜなら、陸屋根やビルの屋上に設置されたドレンは、ベランダ等に設置されたドレンより大型なので、ストレーナ２０の金属製足２２の弾性力のみでは確実な固定が実現できないおそれがあるからである。
また、この構造のストレーナ２０を大型にすると、金属製足２２の弾性力が大きくなり、この金属製足２２を作業員が手で撓ませることが困難になる。
そこで、本考案の目的は、ドレン内、好適には改修ドレン内に容易かつ確実に固定できる固定用治具付きストレーナを提供することにある。
【課題を解決するための手段】
【０００７】
本考案の固定用治具付きストレーナは、ストレーナキャップと、前記ストレーナキャップに取り付けられドレン内に固定するためのストレーナ固定用治具と、を具え、前記ストレーナ固定用治具は、ドレン内の長手方向に対向するように配置される第１接続部および第２接続部と、前記第１接続部に一端を回動自在に接続され、ドレンの周方向に所定間隔で配置されている棒状の複数の第１リンクと、前記第２接続部に一端を回動自在に接続され、前記第１リンクに対応して配置されている棒状の複数の第２リンクと、前記複数の第１リンクおよび前記複数の第２リンクの他端のそれぞれを接続し、ドレンの内面を押圧する複数の押圧密着部と、前記ストレーナキャップおよび前記第１接続部を貫通し、前記第２接続部に設けられたネジ部と螺合するネジ部を具える位置調整棒と、前記ストレーナキャップの上部に前記位置調整棒を位置止めするストッパーと、を有することを特徴とする。
【０００８】
本考案の固定用治具付きストレーナは、前記第１リンクが、ドレンの周方向において２等分、３等分、４等分のいずれかの所定間隔で配置されていることが好適である。
【０００９】
本考案の固定用治具付きストレーナは、前記ストッパーが、前記位置調整棒に設けたネジ部と係合するスピードナット型のストッパー、前記位置調整棒に設けたネジ部と螺合するナット型のストッパー、前記位置調整棒に設けた凹部と係合するクリップ状のストッパー、前記位置調整棒に設けた貫通孔に差し込まれるピン状のストッパーのいずれかであることが好適である。
【００１０】
本考案の固定用治具付きストレーナは、前記押圧密着部が、少なくともドレンに接触する表面部が使用環境下でエントロピー弾性を有する材料からなることが好適である。
【考案の効果】
【００１１】
本考案により、改修ドレン等に好適で、これに容易かつ確実に固定できる固定用治具付きストレーナを提供することができる。
【図面の簡単な説明】
【００１２】
【図１】従来のドレンの断面図である。
【図２】従来の改修ドレンの断面図である。
【図３】（ａ）は、従来のストレーナの一例を示す図であり、（ｂ）はこのストレーナをドレン内に固定する様子を示す図である。
【図４】本考案の第１実施例に係る固定用治具付きストレーナを改修ドレン内に挿入した図である。
【図５】本考案の第１実施例に係る固定用治具付きストレーナを改修ドレン内に固定する様子を説明するための図である。
【図６】本考案の第２実施例に係る固定用治具付きストレーナを示す図である。
【図７】本考案の第３実施例に係る固定用治具付きストレーナを示す図である。
【図８】ストッパーの変形例を示す図である。
【図９】ストッパーの変形例を示す図である。
【考案を実施するための形態】
【００１３】
以下、図面を参照して本考案を詳細に説明する。
図４は本考案の第１実施例に係る固定用治具付きストレーナを改修ドレン内に挿入し固定した図である。本考案のストレーナ３０はストレーナキャップ３１とストレーナ固定用治具とを具える。このストレーナ固定用治具は、第１リンク３２ａと、第２リンク３２ｂと、第３リンク３２ｃと、第４リンク３２ｄと、第１押圧密着部３３ａと、第２押圧密着部３３ｂと、第１接続部３４と、第２接続部３５と、位置調整棒３６と、ストッパー３７と、を具える。
棒状の第１リンク３２ａと棒状の第４リンク３２ｄとは第１接続部３４によって、ヒンジ３８ａ、３８ｆを用いて接続され、棒状の第２リンク３２ｂと棒状の第３リンク３２ｃとは第２接続部３５によって、ヒンジ３８ｃ、３８ｄを用いて接続されている。そして、第１リンク３２ａと第２リンク３２ｂとは第１押圧密着部３３ａによって、ヒンジ３８ｂを用いて接続され、第３リンク３２ｃと第４リンク３２ｄとは第２押圧密着部３３ｂによって、ヒンジ３８ｅを用いて接続されている。すなわち、第１リンク３２ａと第４リンク３２ｄに対応して第２リンク３２ｂと第３リンク３２ｃがそれぞれ配置、接続されている。これにより、第１リンク３２ａと第２リンク３２ｂと第３リンク３２ｃと第４リンク３２ｄとは同一平面内で回動自在な４節リンク機構を構成している。
また、第１接続部３４と第２接続部３５とは改修ドレン１２内の長手方向に対向するように配置されている。第１押圧密着部３３ａと第２押圧密着部３３ｂとは対向位置に、互いに外側を向いて配置されている。このように、第１押圧密着部３３ａおよび第２押圧密着部３３ｂは、４節リンク機構によって外側に押し出されるように設定してあるので、改修ドレン１２の内面を押圧して密着させることができる。
【００１４】
ストレーナキャップ３１の中央上部には孔３１ｈが形成され、この孔３１ｈを介して位置調整棒３６が貫通している。第１接続部３４の中央にも貫通孔３４ｈが形成され、この貫通孔３４ｈを介して位置調整棒３６が貫通している。
また、第２接続部３５の中央にはネジ穴３５ｈが形成され、位置調整棒３６の先端側（図中下側）に形成されたネジ部３６ｓ１と螺合している。
さらに、位置調整棒３６の基端側（図中上側）にネジ部３６ｓ２が形成され、ストッパー３７と螺合している。このストッパー３７を回してストレーナキャップ３１上に位置決めすることによって、ストレーナ固定用治具はストレーナキャップ３１上に固定可能である。
なお、位置調整棒３６の全長にわたってネジ部を形成してもよい。
【００１５】
図５を用いて、本考案の第１実施例に係る固定用治具付きストレーナを改修ドレン内に固定する様子を説明する。
まず、図５（ａ）に示すように、固定用治具付きストレーナ３０を改修ドレン１２内に挿入する。
次に、図５（ｂ）に示すように、位置調整棒３６を上方に引き上げる。すると、ストレーナキャップ３１と第１接続部３４は位置調整棒３６と接続されていないので動かないが、第２接続部３５は位置調整棒３６とネジによって螺合されているので上方に動く。そして、第１リンク３２ａと第２リンク３２ｂと第３リンク３２ｃと第４リンク３２ｄとが菱形を形成するように移動する。そして、第１押圧密着部３３ａと第２押圧密着部３３ｂを改修ドレン１２の内面に接触させるまで、位置調整棒３６を上方に引き上げる。但し、この作業は作業者が手動により行うため、実際は、押圧密着部３３ａ、３３ｂの改修ドレン１２の内面への密着が弱い、あるいは、図５（ｂ）に示すように、押圧密着部３３ａ、３３ｂと改修ドレン１２の内面との間にはわずかな空間が存在する場合がある。
次に、図５（ｃ）に示すように、ストッパー３７を回して、ストレーナキャップ３１に接続する位置まで移動させて位置調整棒３６をストレーナキャップ３１に対して仮止めする。この仮止めによって、作業者が手を離しても、位置調整棒３６が下降してストレーナ固定用治具が図５（ａ）の状態に戻ることはない。
次に、位置調整棒３６のネジを回す。すなわち、位置調整棒３６の先端のネジ部３６ｓ１を第２接続部３５のネジ穴３５ｈに対して回す。すると、図５（ｄ）に示すように、第２接続部３５が上昇し、第１リンク３２ａと第２リンク３２ｂと第３リンク３２ｃと第４リンク３２ｄとによって形成される菱形が上下方向につぶれて外側に広がるように変形する。その結果、第１押圧密着部３３ａと第２押圧密着部３３ｂとが改修ドレン１２の内面に押圧されて密着される。
次に、図示を省略するが、ストッパー３７を回して、図５（ｄ）に示す位置からドレンキャップ３１に接続する位置まで移動させて、ストレーナ固定用治具をストレーナキャップ３１に対して固定する。
このように、本考案により、改修ドレン内にストレーナを容易かつ確実に固定することができる。
なお、上述した例では、各リンク３２ａ、３２ｂ、３２ｃ、３２ｄの長さは等しく菱形の４節リンク機構を構成しているが、第１リンク３２ａと第４リンク３２ｄの長さが等しく、第２リンク３２ｂと第３リンク３２ｃの長さが等しければよい。
【００１６】
図６は本考案の第２実施例に係る固定用治具付きストレーナを示し、図６（ａ）は部分斜視図、図６（ｂ）は概略平面図である。
固定用治具付きストレーナは、第１リンク３２ｈと、第２リンク３２ｉと、第３リンク３２ｊと、第４リンク３２ｋと、第５リンク３２ｌと、第６リンク３２ｍと、第１押圧密着部３３ｈと、第２押圧密着部３３ｉと、第３押圧密着部３３ｊと、第１接続部３４と、第２接続部３５と、位置調整棒３６と、ストッパー３７と、を具え、６節リンク機構を構成している。
第１リンク３２ｈ、第２リンク３２ｉおよび第３リンク３２ｊは第１接続部３４によって接続され、第４リンク３２ｋ、第５リンク３２ｌおよび第６リンク３２ｍは第２接続部３５によって接続されている。そして、第１リンク３２ｈと第４リンク３２ｋとは第１押圧密着部３３ｈによって接続され、第２リンク３２ｉと第５リンク３２ｌとは第２押圧密着部３３ｉによって接続され、第３リンク３２ｊと第６リンク３２ｍとは第３押圧密着部３３ｊによって接続されている。
図６（ｂ）に示すように、第１リンク３２ｈ、第２リンク３２ｉおよび第３リンク３２ｊはドレンの周方向に１２０度の角度で配置されている。
このように６節リンク機構を有する固定用治具付きストレーナは、４節リンク機構を有する固定用治具付きストレーナの場合と比較してより確実にドレン内に固定される。
【００１７】
図７は本考案の第３実施例に係る固定用治具付きストレーナを示し、図７（ａ）は部分斜視図、図７（ｂ）は概略平面図である。
固定用治具付きストレーナは、第１リンク３２ｏと、第２リンク３２ｐと、第３リンク３２ｑと、第４リンク３２ｒと、第５リンク３２ｓと、第６リンク３２ｔと、第７リンク３２ｕと、第８リンク３２ｖと、第１押圧密着部３３ｏと、第２押圧密着部３３ｐと、第３押圧密着部３３ｑと、第４押圧密着部３３ｒと、第１接続部３４と、第２接続部３５と、位置調整棒３６と、ストッパー３７と、を具え、８節リンク機構を構成している。
第１リンク３２ｏ、第２リンク３２ｐ、第３リンク３２ｑおよび第４リンク３２ｒは第１接続部３４によって接続され、第５リンク３２ｓ、第６リンク３２ｔ、第７リンク３２ｕおよび第８リンク３２ｖは第２接続部３５によって接続されている。そして、第１リンク３２ｏと第５リンク３２ｓとは第１押圧密着部３３ｏによって接続され、第２リンク３２ｐと第６リンク３２ｔとは第２押圧密着部３３ｐによって接続され、第３リンク３２ｑと第７リンク３２ｕとは第３押圧密着部３３ｑによって接続され、第４リンク３２ｒと第８リンク３２ｖとは第４押圧密着部３３ｒによって接続されている。
図７（ｂ）に示すように、第１リンク３２ｏ、第２リンク３２ｐ、第３リンク３２ｑおよび第４リンク３２ｒはドレンの周方向に９０度の角度で配置されている。
このように８節リンク機構を有する固定用治具付きストレーナは、４節リンク機構あるいは６節リンク機構を有する固定用治具付きストレーナの場合と比較してより確実にドレン内に固定される。
【００１８】
また、上述したストッパー３７はナット型であり、ボルトとしての位置調整棒３６のネジ部３６ｓ２と螺合して、位置調整棒３６がストレーナキャップ３１上に位置止めされるが、図８および図９に示すような変形例も可能である。
図８はスピードナット型のストッパー３７ｏであり、ボルトとしての位置調整棒３６のネジ部３６ｓ２と係合する。ネジ部３６ｓ２と螺合する上述の場合と異なりネジを回す必要がなく、ストッパー３７ｏを押すことで所定の位置まで移動できるので、位置決めが容易である。
図９（ａ）はストレーナの一部断面図であり、図９（ｂ）は位置調整棒とストッパーの平面図である。位置調整棒３６に複数の凹部３６ｃ１、３６ｃ２、３６ｃ３、３６ｃ４等が設けてあり、当該凹部に係合するクリップ状のストッパー３７ｐにより、位置調整棒３６がストレーナキャップ３１上に位置止めされる。
図９（ｃ）では、位置調整棒３６に複数の貫通孔３６ｈ１、３６ｈ２、３６ｈ３、３６ｈ４等が設けてあり、位置止めピンとなるストッパー３７ｑを貫通孔３６ｈ２に差し込むことにより、位置調整棒３６がストレーナキャップ３１上に位置止めされる。
ストッパーの構成は上述した例に限定されることなく、適宜変更可能である。
【００１９】
押圧密着部は、少なくとも改修ドレン１２に接触する表面部が使用環境下でエントロピー弾性を有する材料からなることが好適である。押圧密着部の表面部の材質としては、加硫ゴムやウレタンラバーが好ましい。加硫ゴムの具体例としては、天然ゴム、イソプレンゴム、スチレン−ブタジエンゴム、ブタジエンゴム、クロロプレンゴム、エチレン−プロピレンゴム、シリコーンゴム等を挙げることができる。
これらを用いることにより、押圧密着部を改修ドレン１２の内面と確実に密着させることができる。
【００２０】
また、本考案の固定用治具付きストレーナを縦型の改修ドレンに固定する例を説明したが、横型の改修ドレンの場合にも同様に適用して固定することができる。
また、本考案の固定用治具付きストレーナを改修ドレンに固定する場合を説明したが、本考案の固定用治具付きストレーナを新規のドレンに用いることもできる。
【実施例】
【００２１】
以下、実施例によりこの効果を確認したので説明する。
従来例として、図３に示す固定用治具付きストレーナを、改修ドレン（ＶＵ７５の塩ビ管）に取り付けた。
実施例１として、図４に示す固定用治具付きストレーナを、改修ドレン（ＶＵ７５の塩ビ管）に取り付けた。このストレーナ固定用治具の押圧密着部の表面部はＳＵＳ３０４である。
実施例２として、図４に示す固定用治具付きストレーナを、改修ドレン（ＶＵ７５の塩ビ管）に取り付けた。このストレーナ固定用治具の押圧密着部の表面部は厚さ２ｍｍの天然ゴムである。
従来例のストレーナおよび実施例のストレーナに紐を介してデジタルフォースゲージ（ＤＳ２−５００Ｎ型、株式会社イマダ製）を取り付け、このデジタルフォースゲージを上方に引っ張り上げるのに要した力を測定した。
従来例のストレーナ引っ張り上げたときの力を１Ｎとしたときに、実施例１のストレーナ引っ張り上げたときの力は７〜８Ｎであり、実施例２のストレーナ引っ張り上げたときの力は２５〜３０Ｎであった。
このように、本考案の固定用治具付きストレーナは改修ドレンから抜けにくいことが確認された。
【符号の説明】
【００２２】
１０    ドレン
１１    コンクリート
１２    改修ドレン
２０    ストレーナ
２１    ネジ
２２    金属製足
３０    ストレーナ
３１    ストレーナキャップ
３２    リンク
３３    押圧密着部
３４    第１接続部
３５    第２接続部
３６    位置調整棒
３７    ストッパー
３８    ヒンジ
【図１】
0003153536.tif 000003
【図２】
0003153536.tif 000004
【図３】
0003153536.tif 000005
【図４】
0003153536.tif 000006
【図５】
0003153536.tif 000007
【図６】
0003153536.tif 000008
【図７】
0003153536.tif 000009
【図８】
0003153536.tif 000010
【図９】
0003153536.tif 000011
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
ストレーナキャップと、前記ストレーナキャップに取り付けられドレン内に固定するためのストレーナ固定用治具と、を具える固定用治具付きストレーナであって、
前記ストレーナ固定用治具は、
ドレン内の長手方向に対向するように配置される第１接続部および第２接続部と、
前記第１接続部に一端を回動自在に接続され、ドレンの周方向に所定間隔で配置されている棒状の複数の第１リンクと、
前記第２接続部に一端を回動自在に接続され、前記第１リンクに対応して配置されている棒状の複数の第２リンクと、
前記複数の第１リンクおよび前記複数の第２リンクの他端のそれぞれを接続し、ドレンの内面を押圧する複数の押圧密着部と、
前記ストレーナキャップおよび前記第１接続部を貫通し、前記第２接続部に設けられたネジ部と螺合するネジ部を具える位置調整棒と、
前記ストレーナキャップの上部に前記位置調整棒を位置止めするストッパーと、
を有することを特徴とする固定用治具付きストレーナ。
【請求項２】
前記第１リンクが、ドレンの周方向において２等分、３等分、４等分のいずれかの所定間隔で配置されていることを特徴とする請求項１に記載の固定用治具付きストレーナ。
【請求項３】
前記ストッパーは、前記位置調整棒に設けたネジ部と係合するスピードナット型のストッパー、前記位置調整棒に設けたネジ部と螺合するナット型のストッパー、前記位置調整棒に設けた凹部と係合するクリップ状のストッパー、前記位置調整棒に設けた貫通孔に差し込まれるピン状のストッパーのいずれかであることを特徴とする請求項１または２に記載の固定用治具付きストレーナ。
【請求項４】
前記押圧密着部は、少なくともドレンに接触する表面部が使用環境下でエントロピー弾性を有する材料からなることを特徴とする請求項１〜３のいずれかに記載の固定用治具付きストレーナ。